(57)【要約】      （修正有）【課題】被介護者等が入浴するに際し、便利な構造にした介護用浴槽の技術を提供する。【解決手段】リム部１Ａと該リム部１Ａの下部に設置された側面部４とで構成された介護用浴槽１に於いて、前記側面部４の一部に前記リム部１Ａの上縁３ｃから所定位置の高さを有する開口部４ａを形成し、該開口部４ａの両側に凹状又は凸状のガイド部を形成し、前記凹状又は凸状のガイド部に対応して凸状又は凹状のガイド部を両側面部４に形成しかつ前記開口部４ａに上下動で嵌め込まれる遮弊板５を有したことで構成する。【選択図】図１
0003197417.tif 000002
【実用新案登録請求の範囲】
【請求項１】
リム部と該リム部の下部に設置された側面部とで構成された介護用浴槽に於いて、前記側面部の一部に前記リム部の上縁から所定位置の高さを有する開口部を形成し、該開口部の両側に凹状又は凸状のガイド部を形成し、前記凹状又は凸状のガイド部に対応して凸状又は凹状のガイド部を両側面部に形成しかつ前記開口部に上下動で嵌め込まれる遮弊板を有したことを特徴とする介護用浴槽。
【考案の詳細な説明】
【技術分野】
【０００１】
本考案は、被介護者等が入浴するに際し、便利な構造にした介護用浴槽に関する。
【背景技術】
【０００２】
この種、従来の技術に於ける浴槽としては実開平６−３４５８７号公開実用新案公報に開示した技術がある。これについて説明すれば、当該技術は汎用の浴槽を開示したものであり、枕部を備えた浴槽の上部開口に設置される浴槽の蓋体を有し、この蓋体は折り曲げ部を介して折り曲げ自在に連結されている。そして浴槽は側面部周辺に開口部がなく比較的に高い位置で構成され健康な大人等は片足を上げて、側面部を跨ぎ浴槽内に容易に入り入浴することができる構成であった。
【先行技術文献】
【特許文献】
【０００３】
【特許文献１】実開平６−３４５８７号公開実用新案公報
【考案の開示】
【考案が解決しようとする課題】
【０００４】
従来の技術は叙上した構成、作用であるので次の課題が存在した。
すなわち、従来の技術では被介護者や小さい人、幼児等が入浴するために浴槽に身体を入れる場合、前述したように浴槽の側面部が邪魔になり、介護者が被介護者を入浴させることが容易でなく、介護者が被介護者の重みにより浴室内に転倒する等事故の原因にもなった。被介護者や幼児等が入浴する場合も自身で入浴できず介護者やそれを支える人等が必要であるという問題点があった
【課題を解決するための手段】
【０００５】
本考案はかかる問題点を解決するために考案したものである。そして、被介護者等を容易に入浴させることのできる介護用浴槽を提供することを目的としたものであって、次の構成・手段から成立する。
すなわち請求項１記載の考案によれば、リム部と該リム部の下部に設置された側面部とで構成された介護用浴槽に於いて、前記側面部の一部に前記リム部の上縁から所定位置の高さを有する開口部を形成し、該開口部の両側に凹状又は凸状のガイド部を形成し、前記凹状又は凸状のガイド部に対応して凸状又は凹状のガイド部を両側面部に形成しかつ前記開口部に上下動で嵌め込まれる遮弊板を有したことを特徴とする。
【考案の効果】
【０００６】
本考案に係る介護用浴槽は叙上の構成を有するので、次の効果がある。
すなわち、請求項１に記載の考案によれば、リム部と該リム部の下部に設置された側面部とで構成された介護用浴槽に於いて、前記側面部の一部に前記リム部の上縁から所定位置の高さを有する開口部を形成し、該開口部の両側に凹状又は凸状のガイド部を形成し、前記凹状又は凸状のガイド部に対応して凸状又は凹状のガイド部を両側面部に形成しかつ前記開口部に上下動で嵌め込まれる遮弊板を有したことを特徴とする介護用浴槽を提供する。
このような構成としたので、被介護者や幼児等が遮弊板を上下動させて介護用浴槽に取付け又は取外しを行い自身で容易に入浴できるという効果がある。
【図面の簡単な説明】
【０００７】
【図１】本考案に係る介護用浴槽の正面図であって、浴槽の側面部に遮弊板を取り付けた状態を示す図である。
【図２】本考案に係る介護用浴槽の斜視図であって、遮弊板を取外したときの状態を示している。
【図３】本考案に係る介護用浴槽に適用する遮弊板の構成を示す拡大斜視図である。
【考案を実施するための形態】
【０００８】
以下、本考案の実施の形態について図面を参照しつつ説明する。
図１は本考案実施の形態にかかる介護用浴槽の一例を示す正面図であって、遮弊板を取付けた状態を示している。
【０００９】
本実施形態に係る介護用浴槽１は、上方からみたとき図２に示すように略矩形状の外観を有する。例えば樹脂成形品や強化プラスチック材、木製等各種の材料で成形品として構成している。リム部１Ａはリム側壁部２および長辺側リム部３を有する。
介護用浴槽１の長辺側リム部３の左右両側の端部３ａ、３ａ、３ａ、３ａは、介護用浴槽１の長辺側リム部３の中央部３ｂよりも高く設定している。具体的には、介護用浴槽１の長辺側リム部３は、両側の４つの端部３ａないし３ａが中央部３ｂよりも高い弓形の形状を有する。但し、介護用浴槽１の長辺側リム部３の形状は、これに限定されるわけではない。例えば、介護用浴槽１の長辺側リム部３は、両側の端部３ａ、３ａ・・・が中央部３ｂよりも高い傾斜部や湾曲部や段差部などを有していてもよい。あるいは、長辺側リム部３の両側の端部３ａ、３ａではなく、長辺側リム部３の左右のいずれか一方の端部３ａが、中央部３ｂよりも高く設定してもよい。
【００１０】
これによれば、介護用浴槽１の長辺側リム部３の上面に溜まった水は、介護用浴槽１の長辺側リム部３の中央部３ｂに集まり介護用浴槽１内に戻りやすい。そのため浴槽内の水が介護用浴槽１のコーナー部に残り難くこれにより、介護用浴槽１の清掃の手間を軽減することができる。
【００１１】
前記リム部１Ａの下部に側面部４を配置してあり、この側面部４は図１、図２に示すように例えば前面の略中央部分に略矩形状や四角形状等の開口部４ａを形成している。この開口部４ａは側面部４の後面やその他の部位には必ずしも設置する必要がないが勿論設置してもよい。該開口部４ａは図１に示すように幅長Ｗが例えば４０（ｃｍ）に設定し、前記リム部１Ａの中央部３ｂの上縁３ｃから深さ（高さ）Ｈ１が例えば３０（ｃｍ）に設置する。介護用浴槽１や浴室の形状・大きさ等にもよるが例えば幅長Ｗは４０（ｃｍ）、Ｈ１は３０（ｃｍ）に設定すれば望ましい。ここで前記リム部１Ａの中央部３ｂの上縁３ｃ面から介護用浴槽１の底面までの高さＨ２とすれば例えばＨ１≒１／３Ｈ２程度に設定する。
そして、前記開口部４ａは図３に示すように遮弊板５を取り付けてあり、矢印で示す標識５ａの方向に動作させれば遮弊板５を取り外し開口部４を開放することができる。この例では介護用浴槽１は底面から浴室表面までの高さＨ３までを埋没させている。
【００１２】
次に図３に示す遮弊板５について説明する。
遮弊板５は上述した介護用浴槽１と同材料例えば樹脂成形品や強化プラスチック材、木製等各種の材料で成形するが必ずしも同材料ではなく、異材料でもよい。そして、前記開口部４ａと略同一幅長同一形状で構成される。該遮弊板５は前面部５Ａに標識５ａを印刷や刻設手段で明記してある。該標識５ａは矢印を示すもので、矢印方向にスライドさせれば遮弊板５を介護用浴槽１の側面部４から開放し、開口部４ａを貫通させ空間状態にする。遮弊板５の両側面部は凸状のガイド部５ａ、５ｂを形成してある。そして、前面部５Ａの上端には把手５Ｂを前方に突設させている。該把手５Ｂは前面部５Ａの左右端まで延在させているが、前面部５Ａの上端の一部に手でつまめる程度の各種の部品を付設してこれに代用させてよい。遮弊板５の底面に凹状又は凸状のガイド部を設けてもよい。
【００１３】
一方では図２に示すように開口部４ａの側部左右には縦溝すなわち凹状のガイド部４ｂ、４ｂが設定してあり、前記遮弊板５を入浴者や介護者、被介護者、幼児等が図１に示すように側面部４に取付けるときは、該遮弊板５の凸状のガイド部５ｂ、５ｂを前記凹状のガイド部４ｂ、４ｂに嵌め込めて矢印で示す標識５ａの矢印の反対方向、つまり下方に押込めば遮弊板５を開口部４ａに取付け側面部４を閉止することができる。また、開口部４ａの底面に凸状又は凹状のガイド部を設けてもよい。
尚、上述は該遮弊板５に凸状のガイド部５ｂ、５ｂを設けたが、これを凹状のガイド部に変更し前記開口部４ａの側部左右に凸状ガイド部を設ける構成としてもよい。
【００１４】
被介護者又は介護者や幼児等が介護用浴槽１に入浴する際、図１に示す介護用浴槽１の側面部４の示すラインＬ位置までお湯を張りを行う。
そこで介護用浴槽１内のお湯は開口部４ａの高さＨ１の底面より低い位置にあり浴室内や外部にあふれ洩れることがない。そして、被介護者やその他幼児等は自身で又は介護者等は遮弊板５を矢印方向にスライドさせて取外して開放する。開口部４ａから被介護者やその他幼児等は介護用浴槽１内に容易に入ることができる。入浴が完了すれば図１に示すように遮弊板５を前述した動作で開口部４ａに取付ける。
【実施例】
【００１５】
次に本考案に係る介護用浴槽の実施例をについて説明する。すなわち、当該介護用浴槽１は浴室内に埋込むのではなく浴室面上に載置してもよい。また、前記開口部４ａのガイド部４ｂ、４ｂや遮弊板５の凸状のガイド部５ｂ、５ｂの部分にシール材を設置すれば開口部４ａのシール性を高めお湯が外部に洩れることを完全に防止することができる。
【産業上の利用可能性】
【００１６】
本考案に係る介護用浴槽は、被介護者や幼児等又は身体の不自由な人の入浴に限定されず一般の浴槽として利用できその利用範囲は広いものである。
【符号の説明】
【００１７】
１        介護用浴槽
１Ａ      リム部
２        リム側壁部
３        長辺側リム部
３ａ      端部
３ｂ      中央部
３ｃ      上縁
４        側面部
４ａ      開口部
４ｂ      凹状のガイド部
５        遮弊板
５Ａ      前面部
５Ｂ      把手
５ａ      標識
５ｂ      凸状のガイド部
【図１】
0003197417.tif 000003
【図２】
0003197417.tif 000004
【図３】
0003197417.tif 000005